(57)【特許請求の範囲】
【請求項１】
情報を表示する表示部と、
ユーザーが前記表示部に触れている位置の軌跡に基づく操作であるジェスチャー操作を受け付ける操作受付部と、
煩雑な操作に適応可能なユーザーを対象とした通常モード又は煩雑な操作に適応困難なユーザーを対象としたユニバーサルモードの何れかを選択する選択指示を受け付けるモード受付部と、
前記通常モードの選択指示が受け付けられた場合に受け付け可能な前記ジェスチャー操作として予め定められた１又は複数の通常操作に対応付けて、前記１又は複数の通常操作が前記操作受付部によって受け付けられたときにそれぞれ実行させる処理を記憶する通常処理記憶部と、
前記ユニバーサルモードの選択指示が受け付けられた場合に受け付け可能な前記ジェスチャー操作として予め定められた１又は複数のユニバーサル操作に対応付けて、前記１又は複数のユニバーサル操作が前記操作受付部によって受け付けられたときにそれぞれ実行させる処理を記憶するユニバーサル処理記憶部と、
前記操作受付部によって前記通常操作が受け付けられた場合は、その前記通常操作に対応付けて前記通常処理記憶部に記憶されている処理を実行し、前記操作受付部によって前記ユニバーサル操作が受け付けられた場合は、その前記ユニバーサル操作に対応付けて前記ユニバーサル処理記憶部に記憶されている処理を実行する実行制御部と、
を備え、
前記表示部は予め複数の領域に分割され、前記操作受付部によって前記ジェスチャー操作が受け付けられた場合に、前記複数の領域のうち、前記受け付け時にユーザーが前記表示部に触れていた位置を含む領域を検出する領域検出部を更に備え、
前記ユニバーサル処理記憶部は、前記１又は複数のユニバーサル操作のうち、前記通常操作と同じ前記ジェスチャー操作である一のユニバーサル操作と、前記複数の領域のうちの第一領域と、に対応付けて第一処理を記憶し、前記一のユニバーサル操作と、前記複数の領域のうちの前記第一領域とは異なる第二領域と、に対応付けて前記第一処理とは異なる第二処理を記憶し、
前記表示部においてプレビュー画像が表示される一の領域が、前記第一領域と前記第二領域とに分割され、
前記実行制御部は、前記操作受付部によって前記一のユニバーサル操作が受け付けられた場合は、前記一のユニバーサル操作に対応付けて前記ユニバーサル処理記憶部に記憶されている前記第一処理及び前記第二処理のうち、前記領域検出部によって検出された領域に対応付けて前記ユニバーサル処理記憶部に記憶されている処理を実行する画像形成装置。
【請求項２】
前記通常処理記憶部に記憶された通常操作の少なくとも一部と対応付けられた処理と同一の処理と対応付けて前記ユニバーサル処理記憶部に記憶されたユニバーサル操作は、前記少なくとも一部の通常操作とは異なるジェスチャー操作である請求項１に記載の画像形成装置。
【請求項３】
前記通常処理記憶部には、前記通常操作としてのピンチ操作に対応付けて前記表示部に表示されている情報を拡大又は縮小する処理である拡大縮小処理が記憶されており、
前記ユニバーサル処理記憶部には、前記ユニバーサル操作としてのスワイプ操作に対応付けて前記拡大縮小処理が記憶されている請求項１又は２に記載の画像形成装置。
【請求項４】
前記操作受付部は、予め定められた受付時間内にユーザーによって前記表示部が２度タップ操作されたときに前記ジェスチャー操作としてのダブルタップ操作を受け付け、
前記ユニバーサルモードの選択指示が受け付けられた場合に用いる前記受付時間は、前記通常モードの選択指示が受け付けられた場合に用いる前記受付時間に比して長い時間に定められている請求項１から３の何れか一項に記載の画像形成装置。
【発明の詳細な説明】
【技術分野】
【０００１】
本発明は、ジェスチャー操作を受け付け可能な画像形成装置に関する。
【背景技術】
【０００２】
従来から、例えば下記特許文献１等に記載のように、指やペン等でユーザーがタッチパネルに触れている位置の軌跡に基づく操作であるジェスチャー操作によって、直感的に各種処理を実行させる画像形成装置が知られている。
【０００３】
また、例えば下記特許文献２等に記載のように、煩雑な操作に適応困難なユーザーであっても、通常の操作に比して容易な操作で各種処理を実行させることが可能なユニバーサルモードを備える画像形成装置が知られている。例えば、ユニバーサルモードでは、タッチキー（ソフトキー）が通常の操作時に比して大きいサイズでタッチパネルに表示される。
【先行技術文献】
【特許文献】
【０００４】
【特許文献１】特開２００６−２１５９１５号公報
【特許文献２】特開２００８−３０１１０４号公報
【発明の概要】
【発明が解決しようとする課題】
【０００５】
しかしながら、上記従来技術が適用された画像形成装置を利用する場合、ユニバーサルモードを利用するような、煩雑な操作に適応困難なユーザーにとっては、ジェスチャー操作によって直感的に各種処理を実行させたい場合であっても、例えば、指を高速に移動させることが困難であるため、或いは、複数の指を同時に動かすことができないため等、ジェスチャー操作を行うことが困難な場合がある。
【０００６】
本発明は、このような事情に鑑みてなされたものであり、煩雑な操作に適応困難なユーザーであっても、ジェスチャー操作によって各種処理を実行させることができる画像形成装置を提供することを目的とする。
【課題を解決するための手段】
【０００７】
本発明に係る画像形成装置は、情報を表示する表示部と、ユーザーが前記表示部に触れている位置の軌跡に基づく操作であるジェスチャー操作を受け付ける操作受付部と、煩雑な操作に適応可能なユーザーを対象とした通常モード又は煩雑な操作に適応困難なユーザーを対象としたユニバーサルモードの何れかを選択する選択指示を受け付けるモード受付部と、前記通常モードの選択指示が受け付けられた場合に受け付け可能な前記ジェスチャー操作として予め定められた１又は複数の通常操作に対応付けて、前記１又は複数の通常操作が前記操作受付部によって受け付けられたときにそれぞれ実行させる処理を記憶する通常処理記憶部と、前記ユニバーサルモードの選択指示が受け付けられた場合に受け付け可能な前記ジェスチャー操作として予め定められた１又は複数のユニバーサル操作に対応付けて、前記１又は複数のユニバーサル操作が前記操作受付部によって受け付けられたときにそれぞれ実行させる処理を記憶するユニバーサル処理記憶部と、前記操作受付部によって前記通常操作が受け付けられた場合は、その前記通常操作に対応付けて前記通常処理記憶部に記憶されている処理を実行し、前記操作受付部によって前記ユニバーサル操作が受け付けられた場合は、その前記ユニバーサル操作に対応付けて前記ユニバーサル処理記憶部に記憶されている処理を実行する実行制御部と、を備え、前記表示部は予め複数の領域に分割され、前記操作受付部によって前記ジェスチャー操作が受け付けられた場合に、前記複数の領域のうち、前記受け付け時にユーザーが前記表示部に触れていた位置を含む領域を検出する領域検出部を更に備え、前記ユニバーサル処理記憶部は、前記１又は複数のユニバーサル操作のうち、前記通常操作と同じ前記ジェスチャー操作である一のユニバーサル操作と、前記複数の領域のうちの第一領域と、に対応付けて第一処理を記憶し、前記一のユニバーサル操作と、前記複数の領域のうちの前記第一領域とは異なる第二領域と、に対応付けて前記第一処理とは異なる第二処理を記憶し、前記表示部においてプレビュー画像が表示される一の領域が、前記第一領域と前記第二領域とに分割され、前記実行制御部は、前記操作受付部によって前記一のユニバーサル操作が受け付けられた場合は、前記一のユニバーサル操作に対応付けて前記ユニバーサル処理記憶部に記憶されている前記第一処理及び前記第二処理のうち、前記領域検出部によって検出された領域に対応付けて前記ユニバーサル処理記憶部に記憶されている処理を実行する。
【０００８】
この構成によれば、煩雑な操作に適応可能なユーザーは、モード受付部によって通常モードの選択指示が受け付けられた場合に通常操作を行うことによって、通常処理記憶部に記憶されている情報を用いて、その通常操作に対応付けられた処理を実行させることができる。
【０００９】
また、煩雑な操作に適応困難なユーザーは、モード受付部によってユニバーサルモードの選択指示が受け付けられた場合にユニバーサル操作を行うことによって、ユニバーサル処理記憶部に記憶されている情報を用いて、そのユニバーサル操作に対応付けられた処理を実行させることができる。つまり、当該構成によれば、煩雑な操作に適応困難なユーザーであっても、ジェスチャー操作によって各種処理を実行させることができる。
また、ユニバーサルモードの選択指示が受け付けられた場合には、ユニバーサル操作の受け付け時にユーザーが表示部に触れていた位置がどの領域に含まれているかに応じて、実行対象の処理を切り替えることができる。つまり、１つのユニバーサル操作によって、領域に応じた数の処理を切り替えて実行させることができる。
このため、ユニバーサル操作の数が通常操作の数に比して少なくなる虞はあるが、ユニバーサル操作によって実行可能な処理の数が、通常操作によって実行可能な処理の数に比して少なくなる虞を低減することができる。
【００１０】
また、前記通常処理記憶部に記憶された通常操作の少なくとも一部と対応付けられた処理と同一の処理と対応付けて前記ユニバーサル処理記憶部に記憶されたユニバーサル操作は、前記少なくとも一部の通常操作とは異なるジェスチャー操作であることが好ましい。
【００１１】
この構成によれば、ユニバーサルモードの選択指示が受け付けられた場合に、通常モードの選択指示が受け付けられた場合とは異なるジェスチャー操作によって各種処理を実行させることができる。このため、例えば、ある処理を実行させるためのユニバーサル操作として、その処理を実行させるための通常操作に比して煩雑ではないジェスチャー操作を予め定める等して、煩雑な操作に適応困難なユーザーであっても、通常操作に比して煩雑ではないジェスチャー操作によって各種処理を実行させることができる。
【００１２】
また、前記通常処理記憶部には、前記通常操作としてのピンチ操作に対応付けて前記表示部に表示されている情報を拡大又は縮小する処理である拡大縮小処理が記憶されており、前記ユニバーサル処理記憶部には、前記ユニバーサル操作としてのスワイプ操作に対応付けて前記拡大縮小処理が記憶されていることが好ましい。
【００１３】
この構成によれば、通常モードの選択指示が受け付けられた場合は、ピンチ操作を行うことによって拡大縮小処理を実行させ、ユニバーサルモードの選択指示が受け付けられた場合は、スワイプ操作を行うことによって拡大縮小処理を実行させることができる。したがって、例えば、複数の指を同時に動作させることが困難なユーザー等、ピンチ操作を行うことが困難なユーザーにとっては、ユニバーサルモードを選択指示した後、一つの指を上下に移動させるスワイプ操作を行うことによって拡大縮小処理を実行させることができるので好適である。
【００１４】
また、前記操作受付部は、予め定められた受付時間内にユーザーによって前記表示部が２度タップ操作されたときに前記ジェスチャー操作としてのダブルタップ操作を受け付け、前記ユニバーサルモードの選択指示が受け付けられた場合に用いる前記受付時間は、前記通常モードの選択指示が受け付けられた場合に用いる前記受付時間に比して長い時間に定められていることが好ましい。
【００１５】
この構成によれば、ユニバーサルモードの選択指示が受け付けられた場合には、最初に表示部をタップ操作した時点と２回目に表示部をタップ操作した時点との時間間隔が、通常モードの選択指示が受け付けられた場合に操作受付部においてダブルタップ操作を受け付けるときに用いる受付時間より長くなったとしても、ユニバーサルモードの選択指示が受け付けられた場合に操作受付部においてダブルタップ操作を受け付けるときに用いる受付時間よりも短ければ、ダブルタップ操作が受け付けられる。
【００１６】
したがって、例えば、指を迅速に動作させることが困難なユーザーにとっては、ユニバーサルモードを選択指示した場合に、通常モードに比して長い時間をかけて２回のタップ操作を行ったとしても、ダブルタップ操作として操作受付部によって受け付けられる可能性が高まるので好適である。
【発明の効果】
【００１７】
本発明によれば、煩雑な操作に適応困難なユーザーであっても、ジェスチャー操作によって各種処理を実行させることができる画像形成装置を提供することが可能になる。
【図面の簡単な説明】
【００１８】
【図１】本発明に係る画像形成装置の一例である複合機の概略構造図。
【図２】操作部の一例を示す説明図。
【図３】複合機の電気的構成の一例を示すブロック図。
【図４】通常モードが受け付けられた場合に液晶ディスプレイに表示されたコピー画面の一例を示す説明図。
【図５】ユニバーサルモードが受け付けられた場合に液晶ディスプレイに表示されたコピー画面の一例を示す説明図。
【図６】通常処理記憶部に記憶されている情報の一例を示す説明図。
【図７】通常モードの選択指示が受け付けられた場合に液晶ディスプレイに表示されたプレビュー画面の一例を示す説明図。
【図８】ユニバーサルモードの選択指示が受け付けられた場合に液晶ディスプレイに表示されたプレビュー画面の一例を示す説明図。
【図９】ユニバーサル処理記憶部に記憶されている情報の一例を示す説明図。
【図１０】ダブルタップ操作を受け付けるときに用いる受付時間と操作受付部によるジェスチャー操作の受付との関係の一例を示す説明図。
【発明を実施するための形態】
【００１９】
以下、本発明に係る実施形態を図面に基づいて説明する。図１は、本発明に係る画像形成装置の一例である複合機１の概略構造図である。
【００２０】
図１に示すように、複合機１は、原稿読取部５と、原稿給送部６と、本体部８と、操作部７と、を備えている。
【００２１】
原稿読取部５は、本体部８の上部に配設されている。原稿読取部５は、露光ランプ及びＣＣＤ（Charge Coupled Device）等からなるスキャナー部５１と、ガラス等の透明部材
により構成された原稿台５２及び原稿読取スリット５３と、を備えている。
【００２２】
スキャナー部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１０へ出力する。
【００２３】
原稿給送部６は、原稿読取部５の上方に配設されている。原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出する原稿搬送機構６３と、を備えている。
【００２４】
本体部８は、複数の給紙カセット４６１と、給紙カセット４６１から用紙を１枚ずつ繰り出して画像形成部４へ搬送する給紙ローラー４１２と、給紙カセット４６１から搬出されてきた用紙に画像を形成する画像形成部４と、画像が形成された用紙が排出されるスタックトレイ４７及び排出トレイ４８と、装置全体の動作制御を司る制御部１０と、を備えている。
【００２５】
画像形成部４は、用紙搬送部４１と、光走査装置４２と、感光体ドラム４３と、現像部４４と、転写部４５と、定着部４６と、を備えている。
【００２６】
用紙搬送部４１は、画像形成部４内の用紙搬送路中に設けられ、給紙ローラー４１２によって搬送されてきた用紙を感光体ドラム４３に供給する搬送ローラー４１３や、用紙をスタックトレイ４７まで搬送する搬送ローラー４１４や、用紙を排出トレイ４８まで搬送する搬送ローラー４１５等を備えている。
【００２７】
光走査装置４２は、制御部１０に入力された画像データに基づいてレーザー光を出力し、このレーザー光によって感光体ドラム４３を走査することで、感光体ドラム４３上に静電潜像を形成する。
【００２８】
現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００２９】
制御部１０は、例えば、所定の演算処理を実行するＣＰＵ（Central Processing Unit）、所定の制御プログラムが記憶されたＲＯＭ（Read Only Memory）やデータを一時的に記憶するＲＡＭ（Random Access Memory）等のメモリー、画像データ等の各種データを記憶するＨＤＤ（Hard Disk Drive）等の記憶媒体、画像処理等の所定の処理を高速処理可能に構成された専用ハードウェアであるＡＳＩＣ（Application Specific Integrated Circuits）、及び、これらの周辺回路等を備えている。制御部１０は、ＲＯＭ等に記憶された制御プログラムをＣＰＵによって実行することによって各種処理を実行し、複合機１内の各部の動作を制御する。
【００３０】
操作部７は、複合機１の正面部に設けられ、ユーザーによる種々の操作指示を入力可能に構成されている。図２は、操作部７の一例を示す説明図である。図２に示すように、操作部７には、タッチパネル装置７１、インジケーター７２ａ〜７２ｆ、入力キー７３ａ〜７３ｄ、スイッチ７４ａ〜７４ｐが設けられている。
【００３１】
タッチパネル装置７１は、タッチパネル機能を有する液晶ディスプレイ（表示部）Ｐを備えている。このタッチパネル機能によって、液晶ディスプレイＰに表示されたソフトキーがユーザーによって触れられたときにはそのソフトキーの押下操作の指示が入力される。また、このタッチパネル機能によって、液晶ディスプレイＰ上でユーザーによって触れられている位置の軌跡が認識され、その軌跡に基づいて予め定められた操作であるジェスチャー操作の指示が入力される。
【００３２】
例えば、このタッチパネル機能では、液晶ディスプレイＰを軽く叩くタップ操作、予め定められた受付時間内に２度タップ操作するダブルタップ操作、液晶ディスプレイＰを２本の指で摘むように操作し、又は、摘んだ状態から２本の指を広げるように操作するピンチ操作、液晶ディスプレイＰに指を触れた状態でそのまま指を滑らせるスワイプ操作、液晶ディスプレイＰを軽く払うように指を動かすフリック操作、等のジェスチャー操作の指示が入力される。
【００３３】
インジケーター７２ａ〜７２ｆは、発光ダイオードなどからなり、点滅或いは点灯／消灯することによって、複合機１の状態を示す。例えば、インジケーター７２ａは印刷中に点滅し、インジケーター７２ｂは外部にデータを送信中に点滅し、インジケーター７２ｃは外部からデータを受信中に点滅する。インジケーター７２ｄは複合機１内に備えられたハードディスクやメモリー等に記憶されているデータにアクセス中に点滅する。インジケーター７２ｅは異常が発生した場合に点灯または点滅する。インジケーター７２ｆは複合機１に電源が投入されているときに点灯する。
【００３４】
入力キー７３ａ〜７３ｄは、数字や記号を入力したり、入力済みの文字列を消去または確定するために設けられている。例えば、入力キー７３ａは、所謂置数キー群であり、数字や記号を入力するために設けられている。入力キー７３ｂは、所謂クリアキーであり、入力済みの文字列を消去するために設けられている。入力キー７３ｃは、所謂短縮キーであり、予めメモリー等に記憶済みの文字列を読み出して入力するために設けられている。入力キー７３ｄは、所謂エンターキー（リターンキー）であり、文字列の入力指示やソフトキーの選択指示等を確定するために設けられている。
【００３５】
スイッチ７４ａ〜７４ｐは、複合機１に備えられた各種機能を切り替えたり、各種機能の動作を開始及び停止させるスイッチである。例えば、代表的なものとして、スイッチ７４ｊは、コピー機能に切り替えて、コピー機能用の操作画面を液晶ディスプレイＰに表示するスイッチである。スイッチ７４ｍは、各種機能の動作を開始するスタートスイッチである。スイッチ７４ｎは、各種機能の動作を停止するストップスイッチである。スイッチ７４ｏは、各種機能の動作条件の設定値を初期状態に戻すリセットスイッチである。
【００３６】
また、スイッチ７４ｐは、煩雑な操作に適応可能なユーザーを対象とした通常モード又は煩雑な操作に適応困難なユーザーを対象としたユニバーサルモードの何れかを選択するためのモード切替スイッチである。
【００３７】
図３は、複合機１の電気的構成の一例を示すブロック図である。複合機１は、上記原稿読取部５、上記原稿給送部６、上記画像形成部４、上記操作部７、通信部９、及び上記制御部１０等の各機能部が相互に通信可能なように接続されている。原稿読取部５、原稿給送部６、画像形成部４、及び操作部７に関しては、既に説明したので説明を省略する。
【００３８】
通信部９は、ファクシミリ通信部９１及びネットワークＩ／Ｆ部９３を備えている。ファクシミリ通信部９１は、電話回線９５に接続されている。ファクシミリ通信部９１は、相手先ファクシミリとの電話回線の接続を制御するＮＣＵ（Network Control Unit）及びファクシミリ通信用の信号を変復調する変復調回路を備えている。ファクシミリ通信部９１は、原稿読取部５によって読み取られた画像データを電話回線９５を介して他のファクシミリ装置へ送信したり、他のファクシミリ装置から送信されてきた画像データを受信する。
【００３９】
ネットワークＩ／Ｆ部９３は、ＬＡＮ（Local Area Network）９７に接続されている。ネットワークＩ／Ｆ部９３はＬＡＮ９７に接続されたパソコン等の端末装置との間で通信を実行するための通信インターフェイス回路である。ネットワークＩ／Ｆ部９３は、原稿読取部５によって読み取られた画像データを、ＬＡＮ９７を介してパーソナルコンピュータ等の外部のコンピューターへ送信したり、外部のコンピューターから送信されてきた画像データを受信する。
【００４０】
制御部１０は、ユーザーによって操作部７に入力された操作指示に基づいて各種処理を実行するに当り、特に、操作受付部１１、モード受付部１２、通常処理記憶部１３、領域検出部１４、ユニバーサル処理記憶部１５、実行制御部１６として機能する。
【００４１】
操作受付部１１は、液晶ディスプレイＰのタッチパネル機能によって入力されたジェスチャー操作の操作指示を受け付ける。
【００４２】
モード受付部１２は、ユーザーによってスイッチ７４ｐが押下される度に、通常モード又はユニバーサルモードの何れかを選択する選択指示を受け付ける。つまり、モード受付部１２は、通常モードの選択指示が受け付けられた場合にユーザーによってスイッチ７４ｐが押下操作されたときは、ユニバーサルモードの選択指示を受け付ける。これとは反対に、モード受付部１２は、ユニバーサルモードの選択指示が受け付けられた場合にユーザーによってスイッチ７４ｐが押下操作されたときは、通常モードの選択指示を受け付ける。
【００４３】
図４は、通常モードが受け付けられた場合に液晶ディスプレイに表示されたコピー画面の一例を示す説明図である。図５は、ユニバーサルモードが受け付けられた場合に液晶ディスプレイに表示されたコピー画面の一例を示す説明図である。例えば、複合機１の電源投入後、スイッチ７４ｐが一度も押下されていない場合、モード受付部１２は、初期状態として、通常モードの選択指示を受け付けた状態になっている。モード受付部１２によって通常モードの選択指示が受け付けられた場合に、操作部７のスイッチ７４ｊが押下されると、例えば図４に示すように、液晶ディスプレイＰには通常モード用のコピー画面が表示される。
【００４４】
そして、モード受付部１２によって通常モードの選択指示が受け付けられた場合に、操作部７のスイッチ７４ｐが押下されると、モード受付部１２は、ユニバーサルモードの選択指示を受け付ける。モード受付部１２によってユニバーサルモードの選択指示が受け付けられた場合に、操作部７のスイッチ７４ｊが押下されると、例えば図５に示すように、液晶ディスプレイＰには通常モード時に比して、文字やソフトキーが大きく表示された、ユニバーサルモード用のコピー画面が表示される。
【００４５】
通常処理記憶部１３は、モード受付部１２によって通常モードの選択指示が受け付けられた場合に操作受付部１１によって受け付け可能なジェスチャー操作として予め定められた１又は複数の通常操作を示す情報に対応付けて、１又は複数の通常操作が操作受付部１１によって受け付けられたときにそれぞれ実行させる処理を示す情報を記憶する。以下、説明を簡潔にするために、通常操作を示す情報を記憶することを、単に通常操作を記憶すると称し、処理を示す情報を記憶することを、単に処理を記憶すると称す。
【００４６】
図６は、通常処理記憶部１３に記憶されている情報の一例を示す説明図である。図７は、通常モードの選択指示が受け付けられた場合に、図４に示すソフトキーＳＫ１が押下操作される等して、液晶ディスプレイＰに表示されたプレビュー画面の一例を示す説明図である。例えば図６に示すように、ピンチ操作、スワイプ操作、及びダブルタップ操作が、通常操作として予め定められている。そして、通常処理記憶部１３には、通常モードの選択指示が受け付けられた場合であって、ピンチ操作が受け付けられたときに実行させる処理として、液晶ディスプレイＰに表示されている情報を拡大又は縮小する処理である拡大縮小処理が記憶されている。通常モードの選択指示が受け付けられた場合にピンチ操作が受け付けられたときには、この通常処理記憶部１３に記憶されている情報を用いて、ピンチ操作に対応付けられた拡大縮小処理が実行される。
【００４７】
この拡大縮小処理は、例えば図７に示すように、２本の指を広げるピンチ操作が受け付けられたときにはプレビュー画面に表示された画像を拡大して表示し、２本の指を摘むピンチ操作が受け付けられたときにはプレビュー画面に表示された画像を縮小して表示する。
【００４８】
また、通常処理記憶部１３には、スワイプ操作が受け付けられたときに実行させる処理として、液晶ディスプレイＰに表示されている情報をスクロールさせる処理であるスクロール処理が記憶され、ダブルタップ操作が受け付けられたときに実行させる処理として、文字列の入力指示やソフトキーの選択指示等を確定する確定処理が記憶されている。
【００４９】
図３に戻り、領域検出部１４は、操作受付部１１によってジェスチャー操作が受け付けられた場合に、その受け付け時にユーザーが液晶ディスプレイＰに触れていた位置が、液晶ディスプレイＰが予め複数の領域に分割されることによって生成された当該複数の領域のうち、何れの領域に含まれているかを検出する。尚、操作受付部１１によってジェスチャー操作が受け付けられた場合に、その受け付け時にユーザーが液晶ディスプレイＰに触れていた位置は、液晶ディスプレイＰのタッチパネル機能によって識別される。
【００５０】
図８は、ユニバーサルモードの選択指示が受け付けられた場合に、図５に示すソフトキーＳＫ２が押下操作される等して、液晶ディスプレイＰに表示されたプレビュー画面の一例を示す説明図である。例えば図８に示すように、液晶ディスプレイＰは、プレビュー画面全体が表示される領域Ｐ０、プレビュー画面においてプレビュー画像が表示される領域のうちの左半分の領域Ｐ１、当該プレビュー画面においてプレビュー画像が表示される領域のうちの右半分の領域Ｐ２の３つの領域に予め分割されている。
【００５１】
この場合、領域検出部１４は、例えば、操作受付部１１によってスワイプ操作が受け付けられた場合に、そのスワイプ操作の開始時にユーザーが液晶ディスプレイＰに触れていた位置が領域Ｐ１に含まれていたときは、そのスワイプ操作の受け付け時にユーザーが液晶ディスプレイＰに触れていた位置は、領域Ｐ１に含まれていると検出する。
【００５２】
ただし、ジェスチャー操作の受け付け時にユーザーが液晶ディスプレイＰに触れていた位置は、上記のように、その受け付けられたジェスチャー操作の開始時にユーザーが液晶ディスプレイＰに触れていた位置に限定されるものではない。例えば、その受け付けられたジェスチャー操作の終了時にユーザーが液晶ディスプレイＰに触れていた位置を、そのスワイプ操作の受け付け時にユーザーが液晶ディスプレイＰに触れていた位置として識別するように、液晶ディスプレイＰのタッチパネル機能を構成してもよい。
【００５３】
図３に戻り、ユニバーサル処理記憶部１５は、モード受付部１２によってユニバーサルモードの選択指示が受け付けられた場合に操作受付部１１によって受け付け可能なジェスチャー操作として予め定められた１又は複数のユニバーサル操作を示す情報に対応付けて、１又は複数のユニバーサル操作が操作受付部１１によって受け付けられたときにそれぞれ実行させる処理を示す情報を記憶する。
【００５４】
また、ユニバーサル処理記憶部１５は、ユニバーサル操作を示す情報と、ユニバーサル操作の受け付け時にユーザーが液晶ディスプレイＰに触れていた位置を含む領域を示す情報とに対応付けて、その受け付け時に実行させる処理を示す情報を記憶する。以下、説明を簡潔にするために、ユニバーサル操作を示す情報を記憶することを、単にユニバーサル操作を記憶すると称し、処理を示す情報を記憶することを、単に処理を記憶すると称し、領域を示す情報を記憶することを、単に領域を記憶すると称す。
【００５５】
図９は、ユニバーサル処理記憶部１５に記憶されている情報の一例を示す説明図である。例えば、図９に示すように、スワイプ操作及びダブルタップ操作が、ユニバーサル操作として予め定められている。尚、ピンチ操作は、２つの指を同時に動かす操作であるため、ユニバーサルモードを選択指示するユーザーにとって困難な操作になる虞がある。したがって、ピンチ操作は通常操作には含まれているが、ユニバーサル操作には含まれていない。
【００５６】
ユニバーサル処理記憶部１５には、通常モードの選択指示が受け付けられた場合にピンチ操作が受け付けられたときに実行される処理として対応付けられていた拡大縮小処理（図６）が、ユニバーサルモードの選択指示が受け付けられた場合にスワイプ操作が受け付けられたときに実行させる処理として対応付けられている。また、ユニバーサル処理記憶部１５には、ユニバーサルモードの選択指示が受け付けられた場合にスワイプ操作が操作受付部１１によって受け付けられたときに実行させる処理として、スクロール処理も対応付けられている。つまり、ユニバーサル処理記憶部１５には、ユニバーサルモードの選択指示が受け付けられた場合にスワイプ操作が操作受付部１１によって受け付けられたときに実行させる処理として、スクロール処理と拡大縮小処理の２つの処理が対応付けられている。
【００５７】
そして、ユニバーサル処理記憶部１５には、スワイプ操作が受け付けられたときに実行させるスクロール処理が、更に領域Ｐ１（図８）に対応付けて記憶され、スワイプ操作が受け付けられたときに実行させる拡大縮小処理が、更に領域Ｐ２（図８）に対応付けて記憶されている。
【００５８】
ユニバーサルモードの選択指示が受け付けられた場合にスワイプ操作が受け付けられたときに、当該スワイプ操作の受け付け時にユーザーが液晶ディスプレイＰに触れていた位置を含む領域が領域Ｐ１であるときは、ユニバーサル処理記憶部１５に記憶されている当該情報を用いて、スワイプ操作及び領域Ｐ１に対応付けられたスクロール処理が実行される。また、当該スワイプ操作の受け付け時にユーザーが液晶ディスプレイＰに触れていた位置を含む領域が領域Ｐ２であるときは、ユニバーサル処理記憶部１５に記憶されている当該情報を用いて、スワイプ操作及び領域Ｐ２に対応付けられた拡大縮小処理が実行される。
【００５９】
また、ユニバーサル処理記憶部１５には、ダブルタップ操作が受け付けられたときに実行させる処理として確定処理が記憶されている。更に、ユニバーサル処理記憶部１５には、ダブルタップ操作の受け付け時に実行させる確定処理が、領域Ｐ０（図８）に対応付けて記憶されている。
【００６０】
実行制御部１６は、操作受付部１１によって通常操作が受け付けられた場合は、その通常操作に対応付けて通常処理記憶部１３に記憶されている処理を実行する。また、実行制御部１６は、操作受付部１１によってユニバーサル操作が受け付けられた場合は、そのユニバーサル操作に対応付けてユニバーサル処理記憶部１５に記憶されている処理のうち、領域検出部１４によって検出された領域に対応付けてユニバーサル処理記憶部１５に記憶されている処理を実行する。
【００６１】
具体的には、実行制御部１６は、例えば、モード受付部１２によって通常モードが受け付けられた場合に、操作受付部１１によってピンチ操作が受け付けられたときは、例えば図６に示すように通常処理記憶部１３に記憶されている情報を用いて、ピンチ操作に対応付けられた拡大縮小処理を実行する。
【００６２】
また、実行制御部１６は、例えば、モード受付部１２によってユニバーサルモードが受け付けられた場合に、操作受付部１１によってスワイプ操作が受け付けられ、更に、領域検出部１４によって、そのスワイプ操作の受け付け時にユーザーが液晶ディスプレイＰに触れている位置を含む領域として領域Ｐ１が検出されたときは、例えば図９に示すようにユニバーサル処理記憶部１５に記憶されている情報を用いて、スワイプ操作に対応付けられたスクロール処理及び拡大縮小処理の２つの処理のうち、領域Ｐ１に対応づけられたスクロール処理を実行する。
【００６３】
また、実行制御部１６は、例えば、モード受付部１２によってユニバーサルモードが受け付けられた場合に、操作受付部１１によってスワイプ操作が受け付けられ、更に、領域検出部１４によって、そのスワイプ操作の受け付け時にユーザーが液晶ディスプレイＰに触れている位置を含む領域として領域Ｐ２が検出されたときは、例えば図９に示すようにユニバーサル処理記憶部１５に記憶されている情報を用いて、スワイプ操作に対応付けられたスクロール処理及び拡大縮小処理の２つの処理のうち、領域Ｐ２に対応づけられた拡大縮小処理を実行する。
【００６４】
尚、当該拡大縮小処理では、例えば図８に示すように、領域Ｐ２内において、スワイプ操作時にユーザーが液晶ディスプレイＰに触れていた位置の軌跡がプレビュー画像の中央に向かう軌跡を示しているときはプレビュー画像を縮小して表示し、その軌跡がプレビュー画像の中央から離れる軌跡を示すときはプレビュー画像を拡大して表示する。
【００６５】
また、操作受付部１１は、予め定められた受付時間内にユーザーによって液晶ディスプレイＰが２度タップ操作されたときに、ジェスチャー操作としてのダブルタップ操作を受け付けるように構成されている。また、ユニバーサルモードの選択指示が受け付けられた場合にダブルタップ操作を受け付けるときに用いる受付時間は、通常モードの選択指示が受け付けられた場合にダブルタップ操作を受け付けるときに用いる受付時間に比して長い時間に定められている。
【００６６】
図１０は、ダブルタップ操作を受け付けるときに用いる受付時間と操作受付部１１によるジェスチャー操作の受付との関係の一例を示す説明図である。例えば、図１０に示すように、ユニバーサルモードの選択指示が受け付けられた場合にダブルタップ操作を受け付けるときに用いる受付時間Ｔｕは、通常モードの選択指示が受け付けられた場合に用いる受付時間Ｔｎよりも長い時間に設定されている。
【００６７】
したがって、時刻ｔ０において操作受付部１１において最初のタップ操作が受け付けられてから受付時間Ｔｎが経過するまでの間の時刻ｔ１において、次のタップ操作が行われた場合は、モード受付部１２によって通常モード及びユニバーサルモードの何れの選択指示が受け付けられていたときであっても、操作受付部１１は、ダブルタップ操作を受け付ける。
【００６８】
しかし、モード受付部１２によって通常モードの選択指示が受け付けられていた場合に、時刻ｔ０において操作受付部１１において最初のタップ操作が受け付けられてから、受付時間Ｔｎが経過した後であって、且つ、受付時間Ｔｕが経過するまでの間の時刻ｔ２において、次のタップ操作が行われたときは、操作受付部１１は、既に受付時間Ｔｎが経過した後であるため、当該タップ操作をダブルタップ操作の２度目のタップ操作としては受け付けず、別のタップ操作が行われたものとして受け付ける。
【００６９】
これに対して、モード受付部１２によってユニバーサルモードの選択指示が受け付けられていた場合に、時刻ｔ２において次のタップ操作が行われたときは、操作受付部１１は、受付時間Ｔｕが経過する前であるので、当該タップ操作をダブルタップ操作の２度目のタップ操作として受け付け、つまり、ダブルタップ操作を受け付ける。
【００７０】
このように、上記実施形態の構成によれば、煩雑な操作に適応可能なユーザーは、モード受付部１２によって通常モードの選択指示が受け付けられた場合に通常操作を行うことによって、通常処理記憶部１３に記憶されている情報を用いて、その通常操作に対応付けられた処理を実行させることができる。
【００７１】
また、煩雑な操作に適応困難なユーザーは、モード受付部１２によってユニバーサルモードの選択指示が受け付けられた場合にユニバーサル操作を行うことによって、ユニバーサル処理記憶部１５に記憶されている情報を用いて、そのユニバーサル操作に対応付けられた処理を実行させることができる。つまり、当該構成によれば、煩雑な操作に適応困難なユーザーであっても、ジェスチャー操作によって各種処理を実行させることができる。
【００７２】
また、上記実施形態の構成によれば、通常処理記憶部１３に記憶された通常操作の少なくとも一部（例えば、図６に示すピンチ操作）と対応付けられた処理（例えば、図６に示す拡大縮小処理）と同一の処理（例えば、図９に示す拡大縮小処理）と対応付けてユニバーサル処理記憶部１５に記憶されたユニバーサル操作（例えば、スワイプ操作）は、当該少なくとも一部の通常操作（例えば、図６に示すピンチ操作）とは異なるジェスチャー操作になっている。
【００７３】
つまり、ユニバーサルモードの選択指示が受け付けられた場合に、通常モードの選択指示が受け付けられた場合とは異なるジェスチャー操作によって各種処理を実行させることができる。このため、例えば、ある処理を実行させるためのユニバーサル操作として、その処理を実行させるための通常操作に比して煩雑ではないジェスチャー操作を予め定める等して、煩雑な操作に適応困難なユーザーであっても、通常操作に比して煩雑ではないジェスチャー操作によって各種処理を実行させることができる。
【００７４】
また、上記実施形態の構成によれば、ユニバーサルモードの選択指示が受け付けられた場合には、ユニバーサル操作の受け付け時にユーザーが液晶ディスプレイＰに触れていた位置がどの領域に含まれているかに応じて、実行対象の処理を切り替えることができる。つまり、１つのユニバーサル操作によって、領域に応じた数の処理を切り替えて実行させることができる。
【００７５】
このため、ユニバーサル操作の数が通常操作の数に比して少なくなる虞はあるが、ユニバーサル操作によって実行可能な処理の数が、通常操作によって実行可能な処理の数に比して少なくなる虞を低減することができる。
【００７６】
また、上記実施形態の構成によれば、通常モードの選択指示が受け付けられた場合は、例えば図６に示すように、ピンチ操作を行うことによって拡大縮小処理を実行させ、ユニバーサルモードの選択指示が受け付けられた場合は、例えば図９に示すように、スワイプ操作を行うことによって拡大縮小処理を実行させることができる。したがって、例えば、複数の指を同時に動作させることが困難なユーザー等、ピンチ操作を行うことが困難なユーザーにとっては、ユニバーサルモードを選択指示した後、一つの指を上下に移動させるスワイプ操作を行うことによって拡大縮小処理を実行させることができるので好適である。
【００７７】
また、上記実施形態の構成によれば、例えば図１０に示すように、ユニバーサルモードの選択指示が受け付けられた場合にダブルタップ操作を受け付けるときに用いる受付時間Ｔｕは、通常モードの選択指示が受け付けられた場合にダブルタップ操作を受け付けるときに用いる受付時間Ｔｎに比して長い時間に定められている。
【００７８】
このため、ユニバーサルモードの選択指示が受け付けられた場合には、最初に液晶ディスプレイＰをタップ操作した時点と２回目に液晶ディスプレイＰをタップ操作した時点との時間間隔が、通常モードの選択指示が受け付けられた場合に操作受付部１１においてダブルタップ操作を受け付けるときに用いる受付時間Ｔｎより長くなったとしても、ユニバーサルモードの選択指示が受け付けられた場合に操作受付部１１においてダブルタップ操作を受け付けるときに用いる受付時間Ｔｕよりも短ければ、ダブルタップ操作が受け付けられる。
【００７９】
したがって、例えば、指を迅速に動作させることが困難なユーザーにとっては、ユニバーサルモードを選択指示した場合に、通常モードに比して長い時間をかけて２回のタップ操作を行ったとしても、ダブルタップ操作として操作受付部１１によって受け付けられる可能性が高まるので好適である。
【００８０】
尚、本発明は上記実施の形態の構成に限られず種々の変形が可能である。例えば、上記実施形態では、本発明に係る画像形成装置を複合機１に適用する例について説明したが、これに限らず、スキャナー装置、ファクシミリ装置、プリンター装置及びコピー装置に適用してもよい。
【００８１】
また、上記実施形態において図１乃至図１０に示した構成は単なる一例に過ぎず、本発明を当該実施形態に限定する趣旨ではない。
【００８２】
例えば、ユニバーサル処理記憶部１５に記憶されているある処理に対応付けられたユニバーサル操作が、通常処理記憶部１３に記憶されている当該ある処理と同一の処理に対応付けられた通常操作と同じジェスチャー操作であって、且つ、煩雑な操作ではないジェスチャー操作であってもよい。
【００８３】
また、領域検出部１４を備えない構成にしてもよい。これに合わせて、ユニバーサル処理記憶部１５には、ユニバーサル操作に対応付けてそのユニバーサル操作が受け付けられたときに実行させる処理が記憶されているが、通常処理記憶部１３と同様に、当該処理がユニバーサル操作の受け付け時にユーザーが液晶ディスプレイＰに触れていた位置を含む領域には対応付けられていない構成にしてもよい。
【００８４】
また、ユニバーサルモードの選択指示が受け付けられた場合にダブルタップ操作を受け付けるときに用いる受付時間が、通常モードの選択指示が受け付けられた場合にダブルタップ操作を受け付けるときに用いる受付時間に比して長い時間に設定されていない構成にしてもよい。
【符号の説明】
【００８５】
１                複合機（画像形成装置）
１０              制御部
１１              操作受付部
１２              モード受付部
１３              通常処理記憶部
１４              領域検出部
１５              ユニバーサル処理記憶部
１６              実行制御部
４                画像形成部
５                原稿読取部
６                原稿給送部
７                操作部
７１              タッチパネル装置
７２ａ〜７２ｆ    インジケーター
７３ａ〜７３ｄ    入力キー
７４ａ〜７４ｐ    スイッチ
８                本体部
９                通信部
Ｐ                液晶ディスプレイ（表示部）
Ｐ０，Ｐ１，Ｐ２  領域
【図１】
0005938489.tif 000002
【図２】
0005938489.tif 000003
【図３】
0005938489.tif 000004
【図５】
0005938489.tif 000005
【図６】
0005938489.tif 000006
【図７】
0005938489.tif 000007
【図８】
0005938489.tif 000008
【図９】
0005938489.tif 000009
【図１０】
0005938489.tif 000010
【図４】
0005938489.tif 000011